(57)【要約】【課題】本発明は店を入った又は出たことを提示する装飾品を開示した。【解決手段】筐体を含み、前記筐体の後側には壁が設置され、前記筐体が前記壁と固定的に取り付けられ、前記筐体の中には下方に開口した揺れ動きチャンバが設置され、前記揺れ動きチャンバの前後内壁には移動チャンバが連通するように設置され、前記移動チャンバの中には移動ブロックがスライドできるように取り付けられ、ドアがドアロッドを回転連動させ、ドアロッドが回転して第一糸巻き輪を回転連動させ、第一糸巻き輪が縄によって第二糸巻き輪を回転連動させ、トーションバネは伝動ロッドを連動させて復帰させることができ、機械伝動によって注意の機能を実現し、停電した時にも使用でき、電子によって注意の機能を実現する装飾品と比べて、本発明は壊れやすくなく、また注意の機能を自由に開け又は閉めることができる。【選択図】図１
2020183693.tif 000002
【特許請求の範囲】
【請求項１】
正面視で、筐体を含み、前記筐体の後側には壁が設置され、前記筐体が前記壁と固定的に取り付けられ、前記筐体の中には下方に開口した揺れ動きチャンバが設置され、前記揺れ動きチャンバの前後内壁には移動チャンバが連通するように設置され、前記移動チャンバの中には移動ブロックがスライドできるように取り付けられ、前後の前記移動ブロックの間には補助ロッドが回転できるように取り付けられ、前記補助ロッドには揺れ動きロッドが固定的に取り付けられ、前記揺れ動きロッドの底面には衝突ボールが固定的に取り付けられ、前記揺れ動きチャンバの左側には偏心輪チャンバが連通するように設置され、前記偏心輪チャンバの中には偏心輪が設置され、前記揺れ動きチャンバの左右両側にはネジチャンバが設置され、前記ネジチャンバの中にはネジ山ブロックがスライドできるように取り付けられ、前記ネジ山ブロックの底面には衝突ブロックが固定的に取り付けられ、前記偏心輪の回転によって前記揺れ動きロッドが左右に揺れ動き、前記揺れ動きロッドが左右に揺れ動いて前記衝突ボールを連動させて前記衝突ブロックと互いに衝突させ、更に音を出して注意を促す作用を果たし、前記壁と前記筐体との間には前記偏心輪を回転連動させることができる動力機構が設置され、前記動力機構は前記壁の中に設置されたドアチャンバを含み、前記ドアチャンバの頂壁と底壁との間にはドアロッドが回転できるように取り付けられ、前記ドアロッドにはドアが固定的に取り付けられ、前記ドアを推し動かすことによって前記動力機構に動力を提供し、前記筐体の中にはまた前記衝突ボールと前記衝突ブロックと互いに衝突して音を出すことを制限できる制限機構が設置されたことを特徴とする店を入った又は出たことを提示する装飾品。
【請求項２】
前記動力機構はまた前記ドアチャンバの上方に設置された第一糸巻きチャンバを含み、前記ドアロッドが上方へ伸びて前記第一糸巻きチャンバの底壁を貫通しており、前記ドアロッドの頂面には第一糸巻き輪が固定的に取り付けられ、前記第一糸巻きチャンバの右側には第二糸巻きチャンバが設置され、前記第二糸巻きチャンバの上方にはトーションバネチャンバが設置され、前記第二糸巻きチャンバの下方には第一伝動チャンバが設置され、前記第一伝動チャンバと前記トーションバネチャンバとの間には伝動ロッドが回転できるように取り付けられ、前記伝動ロッドの頂面にはトーションバネが固定的に取り付けられ、前記トーションバネの頂面が前記トーションバネチャンバの頂壁と固定的に取り付けられ、前記伝動ロッドのうち前記第二糸巻きチャンバの中に位置しているところには第二糸巻き輪が固定的に取り付けられ、前記第二糸巻き輪と前記第一糸巻き輪との間には縄が巻き付いており、前記第一伝動チャンバが前に伸びて前記筐体の後側面を貫通しており、前記偏心輪チャンバと前記第一伝動チャンバとの間には動力ロッドが回転できるように取り付けられ、前記動力ロッドの底面が前記偏心輪と固定的に連結され、前記動力ロッドの頂面には第一ギヤが固定的に取り付けられ、前記伝動ロッドの底面には第二ギヤが固定的に取り付けられ、前記第二ギヤと前記第一ギヤとの間には第一チェーンが伝動できるように取り付けられたことを特徴とする請求項１に記載の店を入った又は出たことを提示する装飾品。
【請求項３】
前記制限機構は前記ネジチャンバの片側に設置された噛み合いチャンバを含み、前記噛み合いチャンバと前記ネジチャンバとの間にはネジロッドが回転できるように取り付けられ、前記ネジロッドが前記ネジ山ブロックとネジ山によって取り付けられ、前記ネジロッドのうち前記噛み合いチャンバの中に位置しているところには第一ベベルギヤが固定的に取り付けられ、前記揺れ動きチャンバの後側には第二伝動チャンバが設置され、前記第二伝動チャンバと前記噛み合いチャンバとの間には連結ロッドが回転できるように取り付けられ、前記連結ロッドの前側面には第二ベベルギヤが固定的に取り付けられ、前記第二ベベルギヤが前記第一ベベルギヤと噛み合っており、前記連結ロッドの後側面には第三ギヤが固定的に取り付けられ、左右の前記第三ギヤの間には第二チェーンが伝動できるように取り付けられ、右側の前記噛み合いチャンバの右側には補助チャンバが設置され、右側の前記ネジロッドが右方へ伸びて前記補助チャンバの左側内壁を貫通しており、右側の前記ネジロッドの右側面には第三ベベルギヤが固定的に取り付けられ、前記補助チャンバの底壁の中には前記筐体の底面を貫通した回転ロッドが回転できるように取り付けられ、前記回転ロッドの頂面には第四ベベルギヤが固定的に取り付けられ、前記第四ベベルギヤが前記第三ベベルギヤと噛み合っており、前記回転ロッドの底面にはつまみが固定的に取り付けられたことを特徴とする請求項１に記載の店を入った又は出たことを提示する装飾品。
【請求項４】
前記揺れ動きチャンバの上方には挿入溝が連通するように設置され、前記挿入溝の右側にはばねチャンバが連通するように設置され、前記ばねチャンバの中には引っ掛かりブロックがスライドできるように取り付けられ、前記引っ掛かりブロックの右側には引きブロックチャンバが設置され、前記引きブロックチャンバと前記ばねチャンバとの間には引きロッドがスライドできるように取り付けられ、前記引きロッドが前記引っ掛かりブロックと固定的に連結され、前記引っ掛かりブロックの右側面と前記ばねチャンバの右側内壁との間には第二ばねが固定的に取り付けられ、前記引きロッドの右側面には引きブロックが固定的に取り付けられ、前記揺れ動きロッドの右側面の中には右方に開口した引っ掛かり溝が設置され、前記引っ掛かりブロックは前記引っ掛かり溝の中に引っ掛かることができ、前記引っ掛かり溝の下方には空き溝が設置され、前記偏心輪が前記空き溝の中に入っており、且つ前記揺れ動きロッドと衝突しなく、前記移動ブロックの頂面と前記移動チャンバの頂壁との間には第一ばねが固定的に取り付けられたことを特徴とする請求項１に記載の店を入った又は出たことを提示する装飾品。
【発明の詳細な説明】
【技術分野】
【０００１】
本発明は装飾品分野に関わり、具体的には店を入った又は出たことを提示する装飾品である。
【背景技術】
【０００２】
一般的に、商店の中には顧客が商店に入ること又は商店を出ることを提示する装飾品を取り付け、顧客が入った又は出た時に店主に注意を促す作用を果たし、普通の入った又は出たことを提示する装飾品は電子によって実現され、壊れやすくて停電した時にも使用できなく、普通の物理機械によって提示機能を実現する店を入った又は出た装飾品は提示を閉める機能が付いていない。
【先行技術文献】
【特許文献】
【０００３】
【特許文献１】中国特許出願公開第１０３７７０５５８号明細書
【発明の概要】
【発明が解決しようとする課題】
【０００４】
本発明は店を入った又は出たことを提示する装飾品を提供し、既存技術にある上記欠点を解消することを目的とする。
【課題を解決するための手段】
【０００５】
本発明の実施例の店を入った又は出たことを提示する装飾品は、筐体を含み、前記筐体の後側には壁が設置され、前記筐体が前記壁と固定的に取り付けられ、前記筐体の中には下方に開口した揺れ動きチャンバが設置され、前記揺れ動きチャンバの前後内壁には移動チャンバが連通するように設置され、前記移動チャンバの中には移動ブロックがスライドできるように取り付けられ、前後の前記移動ブロックの間には補助ロッドが回転できるように取り付けられ、前記補助ロッドには揺れ動きロッドが固定的に取り付けられ、前記揺れ動きロッドの底面には衝突ボールが固定的に取り付けられ、前記揺れ動きチャンバの左側には偏心輪チャンバが連通するように設置され、前記偏心輪チャンバの中には偏心輪が設置され、前記揺れ動きチャンバの左右両側にはネジチャンバが設置され、前記ネジチャンバの中にはネジ山ブロックがスライドできるように取り付けられ、前記ネジ山ブロックの底面には衝突ブロックが固定的に取り付けられ、前記偏心輪の回転によって前記揺れ動きロッドが左右に揺れ動き、前記揺れ動きロッドが左右に揺れ動いて前記衝突ボールを連動させて前記衝突ブロックと互いに衝突させ、更に音を出して注意を促す作用を果たし、前記壁と前記筐体との間には前記偏心輪を回転連動させることができる動力機構が設置され、前記動力機構は前記壁の中に設置されたドアチャンバを含み、前記ドアチャンバの頂壁と底壁との間にはドアロッドが回転できるように取り付けられ、前記ドアロッドにはドアが固定的に取り付けられ、前記ドアを推し動かすことによって前記動力機構に動力を提供し、前記筐体の中にはまた前記衝突ボールと前記衝突ブロックと互いに衝突して音を出すことを制限できる制限機構が設置された。
【０００６】
さらなる技術プランには、前記動力機構はまた前記ドアチャンバの上方に設置された第一糸巻きチャンバを含み、前記ドアロッドが上方へ伸びて前記第一糸巻きチャンバの底壁を貫通しており、前記ドアロッドの頂面には第一糸巻き輪が固定的に取り付けられ、前記第一糸巻きチャンバの右側には第二糸巻きチャンバが設置され、前記第二糸巻きチャンバの上方にはトーションバネチャンバが設置され、前記第二糸巻きチャンバの下方には第一伝動チャンバが設置され、前記第一伝動チャンバと前記トーションバネチャンバとの間には伝動ロッドが回転できるように取り付けられ、前記伝動ロッドの頂面にはトーションバネが固定的に取り付けられ、前記トーションバネの頂面が前記トーションバネチャンバの頂壁と固定的に取り付けられ、前記伝動ロッドのうち前記第二糸巻きチャンバの中に位置しているところには第二糸巻き輪が固定的に取り付けられ、前記第二糸巻き輪と前記第一糸巻き輪との間には縄が巻き付いており、前記第一伝動チャンバが前に伸びて前記筐体の後側面を貫通しており、前記偏心輪チャンバと前記第一伝動チャンバとの間には動力ロッドが回転できるように取り付けられ、前記動力ロッドの底面が前記偏心輪と固定的に連結され、前記動力ロッドの頂面には第一ギヤが固定的に取り付けられ、前記伝動ロッドの底面には第二ギヤが固定的に取り付けられ、前記第二ギヤと前記第一ギヤとの間には第一チェーンが伝動できるように取り付けられた。
【０００７】
さらなる技術プランには、前記制限機構は前記ネジチャンバの片側に設置された噛み合いチャンバを含み、前記噛み合いチャンバと前記ネジチャンバとの間にはネジロッドが回転できるように取り付けられ、前記ネジロッドが前記ネジ山ブロックとネジ山によって取り付けられ、前記ネジロッドのうち前記噛み合いチャンバの中に位置しているところには第一ベベルギヤが固定的に取り付けられ、前記揺れ動きチャンバの後側には第二伝動チャンバが設置され、前記第二伝動チャンバと前記噛み合いチャンバとの間には連結ロッドが回転できるように取り付けられ、前記連結ロッドの前側面には第二ベベルギヤが固定的に取り付けられ、前記第二ベベルギヤが前記第一ベベルギヤと噛み合っており、前記連結ロッドの後側面には第三ギヤが固定的に取り付けられ、左右の前記第三ギヤの間には第二チェーンが伝動できるように取り付けられ、右側の前記噛み合いチャンバの右側には補助チャンバが設置され、右側の前記ネジロッドが右方へ伸びて前記補助チャンバの左側内壁を貫通しており、右側の前記ネジロッドの右側面には第三ベベルギヤが固定的に取り付けられ、前記補助チャンバの底壁の中には前記筐体の底面を貫通した回転ロッドが回転できるように取り付けられ、前記回転ロッドの頂面には第四ベベルギヤが固定的に取り付けられ、前記第四ベベルギヤが前記第三ベベルギヤと噛み合っており、前記回転ロッドの底面にはつまみが固定的に取り付けられた。
【０００８】
さらなる技術プランには、前記揺れ動きチャンバの上方には挿入溝が連通するように設置され、前記挿入溝の右側にはばねチャンバが連通するように設置され、前記ばねチャンバの中には引っ掛かりブロックがスライドできるように取り付けられ、前記引っ掛かりブロックの右側には引きブロックチャンバが設置され、前記引きブロックチャンバと前記ばねチャンバとの間には引きロッドがスライドできるように取り付けられ、前記引きロッドが前記引っ掛かりブロックと固定的に連結され、前記引っ掛かりブロックの右側面と前記ばねチャンバの右側内壁との間には第二ばねが固定的に取り付けられ、前記引きロッドの右側面には引きブロックが固定的に取り付けられ、前記揺れ動きロッドの右側面の中には右方に開口した引っ掛かり溝が設置され、前記引っ掛かりブロックは前記引っ掛かり溝の中に引っ掛かることができ、前記引っ掛かり溝の下方には空き溝が設置され、前記偏心輪が前記空き溝の中に入っており、且つ前記揺れ動きロッドと衝突しなく、前記移動ブロックの頂面と前記移動チャンバの頂壁との間には第一ばねが固定的に取り付けられた。
【発明の効果】
【０００９】
本発明の有益な効果は：本発明は機械伝動によって注意の機能を実現し、停電した時にも使用でき、電子によって注意の機能を実現する装飾品と比べて、本発明は壊れやすくなく、また注意の機能を自由に開け又は閉めることができ、普及する価値がある。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の構成概略図
【図２】図２は図１の中のＡのところの拡大概略図
【図３】図３は図２の中のＢ―Ｂ方向の断面構成概略図
【図４】図４は図２の中のＣ―Ｃ方向の断面構成概略図
【図５】図５は図２の中のＤのところの拡大概略図
【発明を実施するための形態】
【００１２】
図１〜５を参照し、本発明の実施例の店を入った又は出たことを提示する装飾品は、筐体２１を含み、前記筐体２１の後側には壁１３が設置され、前記筐体２１が前記壁１３と固定的に取り付けられ、前記筐体２１の中には下方に開口した揺れ動きチャンバ６０が設置され、前記揺れ動きチャンバ６０の前後内壁には移動チャンバ５５が連通するように設置され、前記移動チャンバ５５の中には移動ブロック５７がスライドできるように取り付けられ、前後の前記移動ブロック５７の間には補助ロッド５８が回転できるように取り付けられ、前記補助ロッド５８には揺れ動きロッド３６が固定的に取り付けられ、前記揺れ動きロッド３６の底面には衝突ボール１７が固定的に取り付けられ、前記揺れ動きチャンバ６０の左側には偏心輪チャンバ３１が連通するように設置され、前記偏心輪チャンバ３１の中には偏心輪３２が設置され、前記揺れ動きチャンバ６０の左右両側にはネジチャンバ３４が設置され、前記ネジチャンバ３４の中にはネジ山ブロック３５がスライドできるように取り付けられ、前記ネジ山ブロック３５の底面には衝突ブロック１８が固定的に取り付けられ、前記偏心輪３２の回転によって前記揺れ動きロッド３６が左右に揺れ動き、前記揺れ動きロッド３６が左右に揺れ動いて前記衝突ボール１７を連動させて前記衝突ブロック１８と互いに衝突させ、更に音を出して注意を促す作用を果たし、前記壁１３と前記筐体２１との間には前記偏心輪３２を回転連動させることができる動力機構７０が設置され、前記動力機構７０は前記壁１３の中に設置されたドアチャンバ１４を含み、前記ドアチャンバ１４の頂壁と底壁との間にはドアロッド１６が回転できるように取り付けられ、前記ドアロッド１６にはドア１５が固定的に取り付けられ、前記ドア１５を推し動かすことによって前記動力機構７０に動力を提供し、前記筐体２１の中にはまた前記衝突ボール１７と前記衝突ブロック１８と互いに衝突して音を出すことを制限できる制限機構８０が設置された。
【００１３】
前記動力機構７０はまた前記ドアチャンバ１４の上方に設置された第一糸巻きチャンバ１２を含み、前記ドアロッド１６が上方へ伸びて前記第一糸巻きチャンバ１２の底壁を貫通しており、前記ドアロッド１６の頂面には第一糸巻き輪１１が固定的に取り付けられ、前記第一糸巻きチャンバ１２の右側には第二糸巻きチャンバ２３が設置され、前記第二糸巻きチャンバ２３の上方にはトーションバネチャンバ２６が設置され、前記第二糸巻きチャンバ２３の下方には第一伝動チャンバ２８が設置され、前記第一伝動チャンバ２８と前記トーションバネチャンバ２６との間には伝動ロッド２４が回転できるように取り付けられ、前記伝動ロッド２４の頂面にはトーションバネ２５が固定的に取り付けられ、前記トーションバネ２５の頂面が前記トーションバネチャンバ２６の頂壁と固定的に取り付けられ、前記伝動ロッド２４のうち前記第二糸巻きチャンバ２３の中に位置しているところには第二糸巻き輪２２が固定的に取り付けられ、前記第二糸巻き輪２２と前記第一糸巻き輪１１との間には縄２７が巻き付いており、前記第一伝動チャンバ２８が前に伸びて前記筐体２１の後側面を貫通しており、前記偏心輪チャンバ３１と前記第一伝動チャンバ２８との間には動力ロッド３０が回転できるように取り付けられ、前記動力ロッド３０の底面が前記偏心輪３２と固定的に連結され、前記動力ロッド３０の頂面には第一ギヤ２９が固定的に取り付けられ、前記伝動ロッド２４の底面には第二ギヤ４５が固定的に取り付けられ、前記第二ギヤ４５と前記第一ギヤ２９との間には第一チェーン４６が伝動できるように取り付けられ、人はドア１５を推し動かした時、ドア１５がドアロッド１６を回転連動させ、ドアロッド１６が回転して第一糸巻き輪１１を回転連動させ、第一糸巻き輪１１が縄２７によって第二糸巻き輪２２を回転連動させ、トーションバネ２５は伝動ロッド２４を連動させて復帰させることができ、第二糸巻き輪２２が回転して伝動ロッド２４と第二ギヤ４５とを回転連動させ、第二ギヤ４５が第一チェーン４６によって第一ギヤ２９と動力ロッド３０とを回転連動させ、動力ロッド３０が回転して偏心輪３２を回転連動させ、偏心輪３２が回転し、それによって揺れ動きロッド３６が繰り返して揺れ動いて衝突ブロック１８と衝突して音を出す。
【００１４】
前記制限機構８０は前記ネジチャンバ３４の片側に設置された噛み合いチャンバ５０を含み、前記噛み合いチャンバ５０と前記ネジチャンバ３４との間にはネジロッド３３が回転できるように取り付けられ、前記ネジロッド３３が前記ネジ山ブロック３５とネジ山によって取り付けられ、前記ネジロッド３３のうち前記噛み合いチャンバ５０の中に位置しているところには第一ベベルギヤ５１が固定的に取り付けられ、前記揺れ動きチャンバ６０の後側には第二伝動チャンバ４７が設置され、前記第二伝動チャンバ４７と前記噛み合いチャンバ５０との間には連結ロッド４８が回転できるように取り付けられ、前記連結ロッド４８の前側面には第二ベベルギヤ４９が固定的に取り付けられ、前記第二ベベルギヤ４９が前記第一ベベルギヤ５１と噛み合っており、前記連結ロッド４８の後側面には第三ギヤ５３が固定的に取り付けられ、左右の前記第三ギヤ５３の間には第二チェーン５２が伝動できるように取り付けられ、右側の前記噛み合いチャンバ５０の右側には補助チャンバ４２が設置され、右側の前記ネジロッド３３が右方へ伸びて前記補助チャンバ４２の左側内壁を貫通しており、右側の前記ネジロッド３３の右側面には第三ベベルギヤ４３が固定的に取り付けられ、前記補助チャンバ４２の底壁の中には前記筐体２１の底面を貫通した回転ロッド４０が回転できるように取り付けられ、前記回転ロッド４０の頂面には第四ベベルギヤ４１が固定的に取り付けられ、前記第四ベベルギヤ４１が前記第三ベベルギヤ４３と噛み合っており、前記回転ロッド４０の底面にはつまみ３９が固定的に取り付けられ、衝突ボールを衝突ブロック１８と衝突させない時、つまみ３９を回すことによって回転ロッド４０を回転連動させ、回転ロッド４０が第四ベベルギヤ４１と第三ベベルギヤ４３との噛み合いによって右側のネジロッド３３を回転連動させ、右側のネジロッド３３が連結ロッド４８と、第三ギヤ５３と、第二チェーン５２との伝動によって第二ベベルギヤ４９を回転連動させ、第二ベベルギヤ４９が前記第一ベベルギヤ５１との噛み合いによって左側のネジロッド３３を回転連動させ、それによって左右のネジ山ブロック３５が揺れ動きロッド３６から離れ、衝突ボール１７が衝突ブロック１８と衝突することができない。
【００１５】
前記揺れ動きチャンバ６０の上方には挿入溝６１が連通するように設置され、前記挿入溝６１の右側にはばねチャンバ６４が連通するように設置され、前記ばねチャンバ６４の中には引っ掛かりブロック６３がスライドできるように取り付けられ、前記引っ掛かりブロック６３の右側には引きブロックチャンバ１９が設置され、前記引きブロックチャンバ１９と前記ばねチャンバ６４との間には引きロッド４４がスライドできるように取り付けられ、前記引きロッド４４が前記引っ掛かりブロック６３と固定的に連結され、前記引っ掛かりブロック６３の右側面と前記ばねチャンバ６４の右側内壁との間には第二ばね６５が固定的に取り付けられ、前記引きロッド４４の右側面には引きブロック２０が固定的に取り付けられ、前記揺れ動きロッド３６の右側面の中には右方に開口した引っ掛かり溝５４が設置され、前記引っ掛かりブロック６３は前記引っ掛かり溝５４の中に引っ掛かることができ、前記引っ掛かり溝５４の下方には空き溝５９が設置され、前記偏心輪３２が前記空き溝５９の中に入っており、且つ前記揺れ動きロッド３６と衝突しなく、前記移動ブロック５７の頂面と前記移動チャンバ５５の頂壁との間には第一ばね５６が固定的に取り付けられ、揺れ動きロッド３６を上方へ推し動かす時、引っ掛かりブロック６３が引っ掛かり溝５４の中に引っ掛かり、揺れ動きロッド３６の移動を制限し、偏心輪３２が回転する時に空き溝５９の中に入って揺れ動きロッド３６と衝突しなく、揺れ動きロッド３６の移動への制限を解除すると、引きブロック２０を引き動かすことによって引きロッド４４を移動連動させ、それによって引っ掛かりブロック６３を引っ掛かり溝５４との引っ掛かりから離脱させ、それによって揺れ動きロッド３６の移動への制限を解除することを実現する。
【００１６】
使用の時、人がドア１５を推し動かした時、ドア１５がドアロッド１６を回転連動させ、ドアロッド１６が回転して第一糸巻き輪１１を回転連動させ、第一糸巻き輪１１が縄２７によって第二糸巻き輪２２を回転連動させ、トーションバネ２５は伝動ロッド２４を連動させて復帰させることができ、第二糸巻き輪２２が回転して伝動ロッド２４と第二ギヤ４５とを回転連動させ、第二ギヤ４５が第一チェーン４６によって第一ギヤ２９と動力ロッド３０とを回転連動させ、動力ロッド３０が回転して偏心輪３２を回転連動させ、偏心輪３２が回転し、それによって揺れ動きロッド３６が繰り返して揺れ動いて衝突ブロック１８と衝突して音を出し、夜に、他の人を邪魔しないため、衝突ボール１７を衝突ブロック１８と衝突させなく、つまみ３９を回すことによって回転ロッド４０を回転連動させ、回転ロッド４０が第四ベベルギヤ４１と第三ベベルギヤ４３との噛み合いによって右側のネジロッド３３を回転連動させ、右側のネジロッド３３が連結ロッド４８と、第三ギヤ５３と、第二チェーン５２との伝動によって第二ベベルギヤ４９を回転連動させ、第二ベベルギヤ４９が前記第一ベベルギヤ５１との噛み合いによって左側のネジロッド３３を回転連動させ、それによって左右のネジ山ブロック３５が揺れ動きロッド３６から離れ、衝突ボール１７が衝突ブロック１８と衝突することができなくなり、また上方へ揺れ動きロッド３６を推し動かす時、引っ掛かりブロック６３が引っ掛かり溝５４の中に引っ掛かり、揺れ動きロッド３６の移動を制限し、偏心輪３２が回転する時に空き溝５９の中に入って揺れ動きロッド３６と衝突しなく、揺れ動きロッド３６の移動への制限を解除すると、引きブロック２０を引き動かすことによって引きロッド４４を移動連動させ、それによって引っ掛かりブロック６３を引っ掛かり溝５４との引っ掛かりから離脱させ、それによって揺れ動きロッド３６の移動への制限を解除することを実現する。
【００１７】
本発明の有益な効果は：本発明は機械伝動によって注意の機能を実現し、停電した時にも使用でき、電子によって注意の機能を実現する装飾品と比べて、本発明は壊れやすくなく、また注意の機能を自由に開け又は閉めることができ、普及する価値がある。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020183693.tif 000003
【図２】
2020183693.tif 000004
【図３】
2020183693.tif 000005
【図４】
2020183693.tif 000006
【図５】
2020183693.tif 000007